(57)【要約】      （修正有）【課題】キーホルダの着脱によってキーホルダを容易に取り出したり装着したりすることができ、着用しても楽に泳ぐことが可能なキー付き水着を提供する。【解決手段】キー付き水着１０は、リング状のフック２０とキーホルダ３０とを有する。キーホルダ３０は、キーとキーを収納するキーケースとキーケースに固定されたリング状の紐とを備える。フック２０は、キー付き水着１０の内側に縫着され、リング状の一部を開閉する開閉部を有し、開閉部が開くことによって、リング状の紐に着脱可能に連結される。フック２０は、水着が男性用又は女性用セパレーツの場合には、キー付き水着１０のウエスト部１２の内側に、水着が女性用ワンピース又は女性用セパレーツの場合には、キー付き水着のショルダ部の内側に、直接、或いは伸縮性を有しない布片又は短い紐を介して縫着されるのが好ましい。【選択図】図１
0003215891.tif 000002
【実用新案登録請求の範囲】
【請求項１】
リング状のフックと、
キーと前記キーを収納するキーケースと前記キーケースに固定されたリング状の紐とを備えたキーホルダと、を有する水着であって、
前記フックは、前記水着の内側に縫着され、リング状の一部を開閉する開閉部を有し、前記開閉部が開くことによって、前記リング状の紐に着脱可能に連結されるキー付き水着。
【請求項２】
前記フックは、前記水着が男性用又は女性用セパレーツの場合には、前記水着のウエスト部の内側に、直接、或いは伸縮性を有しない布片又は短い紐を介して縫着される請求項１に記載のキー付き水着。
【請求項３】
前記フックは、前記水着が女性用ワンピース又は女性用セパレーツの場合には、前記水着のショルダ部の内側に、直接、或いは伸縮性を有しない布片又は短い紐を介して縫着される請求項１に記載のキー付き水着。
【請求項４】
前記リング状の紐は、伸縮性を有する請求項１〜３のいずれか１項に記載のキー付き水着。
【請求項５】
前記キーケースは、互いに平行な２つの平板部と前記２つの平板部の間で前記キーを回動可能に支持する回動軸とを有する請求項１〜４のいずれか１項に記載のキー付き水着。
【請求項６】
前記リング状の紐は、前記キーが収納位置にある時の前記キーを含む前記キーケースの重心位置を通る前記回動軸に平行な平面よりも前記回動軸の側の位置に固定される請求項５に記載のキー付き水着。
【考案の詳細な説明】
【技術分野】
【０００１】
本考案は、更衣室などに設置されているロッカーのキーを着脱可能に装着するキー付き水着に関する。
【背景技術】
【０００２】
健康な体を維持するために、スポーツジムのプールに通う人が増加している。スポーツジムでは、更衣室で水着に着替えた後に、脱いだ衣服や財布が入ったバッグなどをロッカーに収納し、そのキーを水泳中も身に着けている必要がある。そのため、このキーは、ホテルや旅館などの共同浴場の更衣室のロッカーに使用されているものと同様に、手首に巻き付けて固定するものであるケースが多い。一方、ロッカーのキーを収納することが可能なポケットを付けた水着も開示されている。
【０００３】
例えば、特許文献１には、保持板にキー本体を回動自在に装着し、キー本体を格納状態として手首等にゴムバンドにて締着したホルダ付キーが開示されている。また、特許文献２には、収納したお金、メモ、手帳、小物等の貴重品や身の回り品が水に漏れるのを防止し、必要な時に簡単に取り出すことができる防水ポケット付き水着が開示されている。この水着の防水ポケットの開口部には、スライドファスナなどの防水閉塞手段が設けてあるので、水泳中の収納物の紛失を防ぐことができる。さらに、特許文献３には、前身頃と後身頃との縫目の内側の下方一部にファスナ付きのポケットを設けたポケット付き水着が開示されている。この水着のポケットの開口部には、ファスナが取り付けてあるので、水泳中の収納物の紛失を防ぐことができる。
【先行技術文献】
【特許文献】
【０００４】
【特許文献１】実公昭６２−１２３７８
【特許文献２】特開平１−３１４７０９
【特許文献３】実開昭５９−１２８１４
【考案の概要】
【考案が解決しようとする課題】
【０００５】
特許文献１のキー本体が締着される手首は、水泳中に最も激しく動かさなければならないのに対して、キー本体が締着されると明らかに水の抵抗が増加するので、特許文献１のホルダ付キーは、着用すると泳ぎにくいという問題があった。また、水着の表面側に防水ポケットが取着してある場合には、水の抵抗が増加するので、特許文献２の防水ポケット付き水着は、着用すると泳ぎにくいという問題があった。さらに、水着の裏面側に防水ポケットが取着してある場合には、水着の収縮力によって水着と皮膚との隙間を小さくする力が働くので、特許文献２の防水ポケット付き水着及び特許文献３のポケット付き水着は、貴重品や身の回り品を出し入れしにくいという問題があった。
【０００６】
本考案は、従来のこのような問題点に鑑みてなされたものであり、本考案の目的は、キーホルダの着脱によってキーホルダを容易に取り出したり装着したりすることができ、着用しても楽に泳ぐことが可能なキー付き水着を提供することにある。
また、本考案の他の目的は、上記目的に加え、従来と同等以上に安全に着用することが可能なキー付き水着を提供することにある。
【課題を解決するための手段】
【０００７】
本考案者は、上記目的を達成するために、鋭意研究を重ねた結果、まず、リング状の一部を開閉する開閉部が備えられたリング状のフックを水着の内側に縫着し、そのフックの開閉部を開いて、キーホルダのキーケースに固定されたリング状の紐を連結する方法で、キーケースに収納されたキーを水着に着脱可能に装着することによって、キーホルダを容易に水着から取り出したり水着に装着したりすることができ、水着を着用しても楽に泳ぐことができることを見出した。
【０００８】
また、本考案者は、水着が男性用の場合には、水着のウエスト部の内側に、水着が女性用ワンピースの場合には、水着のショルダ部の内側に、伸縮性を有しない短い紐を介してフックを縫着することによって、キーホルダをより一層容易に水着から取り出したり水着に装着したりすることができることを見出し、本考案に至ったものである。
【０００９】
即ち、本考案は、リング状のフックと、キーとキーを収納するキーケースとキーケースに固定されたリング状の紐とを備えたキーホルダと、を有する水着であって、フックは、水着の内側に縫着され、リング状の一部を開閉する開閉部を有し、開閉部が開くことによって、リング状の紐に着脱可能に連結されるキー付き水着を提供するものである。
【００１０】
ここで、フックは、水着が男性用又は女性用セパレーツの場合には、水着のウエスト部の内側に、直接、或いは伸縮性を有しない布片又は短い紐を介して縫着されるのが好ましい。
フックは、水着が女性用ワンピース又は女性用セパレーツの場合には、水着のショルダ部の内側に、直接、或いは伸縮性を有しない布片又は短い紐を介して縫着されるのが好ましい。
リング状の紐は、伸縮性を有するのが好ましい。
キーケースは、互いに平行な２つの平板部と２つの平板部の間でキーを回動可能に支持する回動軸とを有するのが好ましい。
リング状の紐は、キーが収納位置にある時のキーを含むキーケースの重心位置を通る回動軸に平行な平面よりも回動軸の側の位置に固定されるのが好ましい。
【考案の効果】
【００１１】
本考案によれば、キーホルダを容易に取り出したり装着したりすることができ、着用しても楽に泳ぐことができる。
また、本考案によれば、上記効果に加え、従来と同等以上に安全に着用することができる。
【図面の簡単な説明】
【００１２】
【図１】本考案のキー付き水着を示す正面図である。
【図２】図１のフック及びキーホルダを示す拡大正面図である。
【図３】図１のフック及びキーホルダを示す斜視図である。
【図４】図３のキーホルダをキーの上面を含む平面で上下に分離した状態を示す分解斜視図である。
【図５】図４の上下に分離したキーホルダの内の下側を用いて、キーが使用位置にある状態を示す斜視図である。
【図６】本考案のキー付き水着の変形例を示す正面図である。
【考案を実施するための形態】
【００１３】
以下に、本考案を添付の図面に示す好適実施形態に基づいて詳細に説明する。
まず、本考案のキー付き水着について説明する。図１は、本考案のキー付き水着を示す正面図であり、図２は、図１のフック及びキーホルダを示す拡大正面図であり、図３は、図１のフック及びキーホルダを示す斜視図である。
【００１４】
本考案のキー付き水着１０は、リング状のフック２０とキーホルダ３０とを有する。キーホルダ３０は、キー３２とキー３２を収納するキーケース３４とキーケース３４に固定されたリング状の紐３６とを備える。フック２０は、キー付き水着１０の内側に縫着され、リング状の一部を開閉する開閉部２２を有し、開閉部２２が開くことによって、リング状の紐３６に着脱可能に連結される。
【００１５】
即ち、キー付き水着１０の内側にリング状のフック２０が縫着され、キー３２を収納したキーケース３４にリング状の紐３６が固定される。開閉部２２は、リング状のフック２０を通る平面に対して直角方向の回動軸２２ａに回動可能に支持され、フック２０のリング状の一部を閉じるようにばねの力で保持された位置と、フック２０のリング状の一部を内側に開くように開閉部２２の回動軸２２ａの反対側の先端部分がフック２０のリング状の内側に押し込まれた位置と、の間を回動軸２２ａの周りに回動する。開閉部２２が指で押し開かれて、フック２０及びリング状の紐３６が着脱可能に連結される。リング状の紐３６をキーケース３４に固定する方法は、紐の両端をキーケース３４の同じ位置に固定して紐のみによってリングを形成する方法だけでなく、図２のように、紐の両端をキーケース３４の離間した固定位置Ｃ１、Ｃ２に固定して紐及びキーケース３４によってリングを形成する方法を含み、さらに、キーケース３４の孔に通した紐の両端を繋ぐ方法、両端が繋がった紐の一部を別の紐などを使用してキーケース３４に固定する方法などを含む。なお、図２のキーケースの重心位置とリング状の紐の固定位置については後述する。
【００１６】
フック２０のリング形状は、特に制限的ではなく、円形でも多角形でも良いが、皮膚への傷及び水着の損傷を付けにくいという点で円形であるのが好ましい。フック２０の大きさは、特に制限的ではなく、どのような大きさでも良いが、小さすぎるとリング状の紐３６を着脱しにくくなり、大きすぎると邪魔になるので、リングの直径が１〜３ｃｍであるのが好ましい。フック２０の材料は、特に制限的ではなく、金属でも合成樹脂でも良いが、機械的強度の点で金属であるのが好ましい。フック２０の色は、特に制限的ではなく、例えば、黄色、青色、赤色などに着色されていても良いし、表面光沢は、あってもなくても良い。開閉部２２を開く方法は、特に制限的ではなく、開閉部２２を直接押す方法でも開閉部２２と一体のレバー状の突起を操作する方法でも良いが、突起が少ない方が皮膚への傷及び水着の損傷を付けにくいという点で開閉部２２を直接押す方法であるのが好ましい。
【００１７】
リング状の紐３６の形状は、特に制限的ではなく、真直ぐでもスパイラルでも良い。リング状の紐３６の太さは、特に制限的ではなく、どのような太さでも良いが、細すぎると切れやすくなり、太すぎると邪魔になるので、直径１〜３ｍｍであるのが好ましい。リング状の紐３６の長さは、特に制限的ではなく、どのような長さでも良いが、短すぎるとフック２０に対して着脱しにくくなり、長すぎると邪魔になるので、１０〜２０ｃｍであるのが好ましい。リング状の紐３６の材料は、ポリウレタンゴム、シリコーンゴム、ポリエステル糸やレーヨン糸などの糸と天然ゴムやポリウレタンゴムなどのゴムとを織った又は編んだ衣類用ゴムなどから成る群から選択される１種でも良い。リング状の紐３６の色は、特に制限的ではなく、例えば、黄色、青色、赤色などに着色されていても良い。
【００１８】
本考案のキー付き水着１０のフック２０は、水着が男性用又は女性用セパレーツの場合には、キー付き水着１０のウエスト部１２の内側に、直接（図示せず）、或いは伸縮性を有しない布片（図示せず）又は短い紐２４を介して縫着されるのが好ましい。即ち、図１のように、キー付き水着１０の水着が男性用の場合には、フック２０は、キー付き水着１０のウエスト部１２、即ち、人体の腰を覆う部分の内側に、伸縮性を有しない短い紐２４を介して縫着されるのが好ましい。その場合には、短い紐２４の縫着を補強するため、短い紐２４は、当て布２６の上から縫着されても良い。フック２０は、上述の位置に、伸縮性を有しない布片を使用して当て布２６の上から縫着されても良く、また、伸縮性を有しない布片を使用して当て布２６を使用せずに直接縫着されても良く、また、布片も短い紐２４も当て布２６も使用せずに直接縫着されても良い。さらに、水着が女性用セパレーツの場合には、その下側の水着の上述の位置に、同様の方法で縫着されても良い。フック２０の縫着位置は、ウエスト部１２の中であれば特に制限的ではなく、右側でも左側でも良いが、背中側はリング状の紐３６を着脱しにくいので腹側が好ましい。
【００１９】
短い紐２４の太さは、特に制限的ではなく、どのような太さでも良いが、細すぎると切れやすくなり、太すぎると邪魔になるので、直径１〜３ｍｍであるのが好ましい。短い紐２４の長さは、特に制限的ではなく、どのような長さでも良いが、短すぎるとリング状の紐３６を着脱しにくくなり、長すぎると邪魔になるので、１〜３ｃｍであるのが好ましい。短い紐２４の材料は、木綿、絹、ポリプロピレン、ナイロン、アクリルなどから成る群から選択される１種でも良い。短い紐２４の色は、特に制限的ではなく、例えば、黄色、青色、赤色などに着色されていても良い。
【００２０】
当て布２６の形状は、特に制限的ではなく、円形でも多角形でも良いが、作業性の点で４角形であるのが好ましい。当て布２６の大きさは、特に制限的ではなく、どのような大きさでも良いが、小さすぎると縫着を補強できなくなり、大きすぎると邪魔になるので、縦横の長さがそれぞれ１〜３ｃｍであるのが好ましい。当て布２６の材料は、木綿、絹、ポリプロピレン、ナイロン、アクリルなどから成る群から選択される１種でも良い。当て布２６の色は、特に制限的ではなく、例えば、黄色、青色、赤色などに着色されていても良い。
このような構成とすることで、本考案のキー付き水着は、キーホルダを容易に取り出したり装着したりすることができ、着用しても楽に泳ぐことができる。
【００２１】
本考案のキー付き水着１０のリング状の紐３６は、伸縮性を有するのが好ましい。即ち、リング状の紐３６に連結されたフック２０とリング状の紐３６が固定されたキーケース３４との距離は、キーホルダ３０を装着している間に伸縮することができる。
このような構成とすることで、水泳中の体の動きを吸収することによってキーケースによる皮膚への傷及び水着の損傷を防ぐことができるので、本考案のキー付き水着は、安全に着用することができる。
【００２２】
次に、キーケースの構成について説明する。図４は、図３のキーホルダをキーの上面を含む平面で上下に分離した状態を示す分解斜視図であり、図５は、図４の上下に分離したキーホルダの内の下側を用いて、キーが使用位置にある状態を示す斜視図である。
本考案のキー付き水着１０のキーケース３４は、互いに平行な２つの平板部３４ａ、３４ｂと回動軸３４ｃとを有するのが好ましく、その場合には、回動軸３４ｃは、２つの平板部３４ａ、３４ｂの間でキー３２を回動可能に支持する。即ち、キーケース３４の中の上方（図４のＺ方向）にある直方体の平板部３４ａと下方（図４のＺ方向の反対方向）にある直方体の平板部３４ｂは、側壁３４ｄ及びストッパ３４ｅを介してキー３２の厚さよりも大きい間隔を開けて、互いに平行に形成される。キー３２は、平板部３４ａと平板部３４ｂとの間に挿入され、平板部３４ａ、３４ｂに対して直角方向の回動軸３４ｃに回動可能に支持され、収納位置３２ａと使用位置３２ｂとの間を回動軸３４ｃの周りに回動する。側壁３４ｄは、平板部３４ａ、３４ｂの対向する２つの長辺の内の一方、即ち、図４の紙面の右下方向（図４のＸ方向）にある長辺に沿って図４の紙面の右上方向（図４のＹ方向）に伸びる。ストッパ３４ｅは、キー３２をキーケース３４の中に入れる方向に回動した時にキー３２に当接して収納位置３２ａを構成する。側壁３４ｄの回動軸３４ｃに近い部分は、キー３２をキーケース３４の中から出す方向に回動した時にキー３２の頭部に当接して使用位置３２ｂを構成する。平板部３４ａ、３４ｂが十分な柔軟性を有する場合には、キー３２と平板部３４ａ、３４ｂとが軽く接触するようにキーホルダ３０を構成することによって、キーホルダ３０を装着している間にキー３２が重力で回動してキーケース３４の中から出るのを防ぐと共に、平板部３４ａ、３４ｂを押し広げた状態でキー３２を回動してキー３２をキーケース３４の中から出すことができる。
このような構成とすることで、キーに直接接触しないようにすることによってキーによる皮膚への傷及び水着の損傷を防ぐことができるので、本考案のキー付き水着は、安全に着用することができる。
【００２３】
キーケース３４の形状は、キー３２の全体を収納することができれば特に制限的ではなく、円柱でも多角柱でも良いが、無駄なスペースが少ない点で直方体であるのが好ましい。キーケース３４の平板部３４ａ、３４ｂの大きさは、キー３２の全体を収納することができれば特に制限的ではなく、どのような大きさでも良いが、大きすぎると邪魔になるので、キー３２の縦横の長さとのそれぞれの差が共に１ｃｍ以下であるのが好ましい。キーケース３４の平板部３４ａ、３４ｂの厚さは、特に制限的ではなく、どのような厚さでも良いが、薄すぎると損傷又は変形しやすくなり、厚すぎると邪魔になるので、それぞれ１〜３ｍｍであるのが好ましい。キーケース３４の材料は、塩化ビニル樹脂、ポリエチレン樹脂、ポリプロピレン樹脂などから成る群から選択される１種でも良い。キーケース３４の色は、特に制限的ではなく、例えば、黄色、青色、赤色などに着色されていても良い。
【００２４】
次に、キーケースの重心位置とリング状の紐の固定位置について説明する。
平板部３４ａ、３４ｂが十分な柔軟性を有しない場合には、キー３２と平板部３４ａ、３４ｂとの間の摩擦力がない又は小さいので、本考案のキー付き水着１０のリング状の紐３６は、キー３２が収納位置３２ａにある時のキー３２を含むキーケース３４の重心位置Ｇを通る回動軸３４ｃに平行な平面よりも回動軸３４ｃの側の位置に固定されるのが好ましい。即ち、キー３２を収納位置３２ａまで回動した時のキーケース３４の重心位置Ｇを通る回動軸３４ｃに平行な平面Ｐに対して、回動軸３４ｃの側（図２の紙面の上側）をＡ領域、回動軸３４ｃの反対側（図２の紙面の下側）をＢ領域とした時に、リング状の紐３６の固定位置Ｃ１、Ｃ２は、Ａ領域のキーケース３４に配置される。固定位置が１箇所の場合には、Ａ領域内のキーケース３４の重心位置Ｇと回動軸３４ｃの中心とを通る直線上に固定位置を配置し、固定位置が２箇所の場合には、Ａ領域内のキーケース３４の重心位置Ｇと回動軸３４ｃの中心とを通る直線に対して互いに線対称の位置に固定位置を配置するのが好ましい。なお、平面Ｐは、例えば、図２のように、短い紐２４に対して直角方向の水平面でも良い。また、重心位置Ｇは、キーケース３４の回動軸３４ｃから最も離間した位置に重り（図示せず）を付加することによって、その位置の方向に移動させることができる。
このような構成とすることで、フック２０にリング状の紐３６を連結してキーホルダ３０を吊り下げた時に、収納位置３２ａにあるキー３２の重心位置Ｇがキーの回動軸３４ｃの位置よりも下方になり、キーホルダ３０を装着している間にキー３２が重力で回動してキーケース３４の中から出るのを防ぐことができるので、本考案のキー付き水着は、安全に着用することができる。
【００２５】
本考案のキー付き水着は、基本的に以上のように構成される。このような構成とすることで、本考案のキー付き水着は、キーホルダを容易に取り出したり装着したりすることができ、着用しても楽に泳ぐことができ、また、従来と同等以上に安全に着用することができる。
【００２６】
次に、本考案のキー付き水着の変形例について説明する。図６は、本考案のキー付き水着の変形例を示す正面図である。
本考案のキー付き水着４０は、リング状のフック２０とキーホルダ３０とを有する。キー付き水着４０は、キー付き水着１０に対して、フック２０の縫着位置以外は同一の構成を有するものであるので、同一の構成要素の説明を省略する。
【００２７】
本考案のキー付き水着４０のフック２０は、水着が女性用ワンピース又は女性用セパレーツの場合には、キー付き水着４０のショルダ部４２の内側に、直接（図示せず）、或いは伸縮性を有しない布片（図示せず）又は短い紐２４を介して縫着されるのが好ましい。即ち、図６のように、キー付き水着４０の水着が女性用ワンピースの場合には、フック２０は、キー付き水着４０のショルダ部４２、即ち、人体の肩と首との間から胸までを覆う部分の内側に、伸縮性を有しない短い紐２４を介して縫着されるのが好ましい。また、水着が女性用セパレーツの場合には、その上側の水着の上述の位置に、同様の方法で縫着されても良い。なお、フック２０の他の縫着方法は、縫着位置を除いてキー付き水着１０の場合と同一であるので、説明を省略する。フック２０の縫着位置は、ショルダ部４２の中であれば特に制限的ではなく、右側でも左側でも良いが、フック２０を目視できない位置はリング状の紐３６を着脱しにくいのでフック２０を目視できる位置が好ましい。
本考案のキー付き水着の変形例は、基本的に以上のように構成される。このような構成とすることで、本考案のキー付き水着は、キーホルダを容易に取り出したり装着したりすることができ、着用しても楽に泳ぐことができる。
【産業上の利用可能性】
【００２８】
本考案のキー付き水着は、キーホルダを容易に取り出したり装着したりすることができ、着用しても楽に泳ぐことができるという効果に加え、従来と同等以上に安全に着用することができるという効果もあるので、産業上有用である。
【符号の説明】
【００２９】
１０、４０  キー付き水着
１２  ウエスト部
２０  フック
２２  開閉部
２２ａ  回動軸
２４  短い紐
２６  当て布
３０  キーホルダ
３２  キー
３２ａ  収納位置
３２ｂ  使用位置
３４  キーケース
３４ａ、３４ｂ  平板部
３４ｃ  回動軸
３４ｄ  側壁
３４ｅ  ストッパ
３６  リング状の紐
４２  ショルダ部
【図１】
0003215891.tif 000003
【図２】
0003215891.tif 000004
【図３】
0003215891.tif 000005
【図４】
0003215891.tif 000006
【図５】
0003215891.tif 000007
【図６】
0003215891.tif 000008